(57)【要約】  複数の散布ノズルアセンブリに選択的に制御可能な圧縮液体を向ける為の液体供給導管を有する農業用散布器。各ノズルアセンブリは、それぞれのオリフィス部材を有するノズル本体を含み、ノズル本体は、小径放出オリフィスと連通した内側にテーパが付けられた円錐部を有する。それぞれの各オリフィス部材は、柔軟かつ圧力応答性の変形可能な材料で形成され、液体供給部の圧力増加の際に前記液体流路および放出オリフィスは、前記オリフィス部材およびノズル本体を通る割合を少なくとも７５パーセントだけ増加させるように変更され、オリフィス部材への圧縮液体の供給中断の際に液体流路および放出オリフィスは、それらの当初の形状に戻る。【選択図】  図２
2018511470.tif 000002
【特許請求の範囲】
【請求項１】
散布ノズルアセンブリであって、
選択的に制御可能な圧縮液体供給部に結合する為の上流端部および下流端部を有する中央液体流路を画成するノズル本体と、
前記ノズル本体の通路と流体連通して配置されるオリフィス部材と、
を備え、
前記オリフィスは、中央液体流路を有し、前記オリフィス部材の流路は、下流方向に内側にテーパが付けられた円錐通路部を含み、前記オリフィス部材を通って誘導される液体流を加速させる為に比較的小径の放出オリフィスと連通し、
前記オリフィス部材は、弾性かつ圧力応答性の変形可能な材料で形成され、前記液体供給部の圧力増加の際に前記液体流路および放出オリフィスは、前記オリフィス部材およびノズル本体を通る割合を少なくとも７５パーセントだけ増加させるように変更可能であり、
前記オリフィス部材への圧縮液体の供給中断の際に前記オリフィス部材の液体流路および放出オリフィスは、それらの当初の形状に戻る、散布ノズルアセンブリ。
【請求項２】
前記オリフィス部材は、上流円筒端部と、前記円筒端部の下流側から突出する小径ハブを含み、前記円筒通路部は、前記オリフィス部材の下流の前記小径ハブおよび前記円筒端部の両方を通り、少なくとも一部で連通する、請求項１に記載の散布ノズルアセンブリ。
【請求項３】
前記オリフィス部材の通路は、前記円錐通路部の上流端部と連通し前記円錐通路部の上流端部より大径を有する上流円筒通路部を前記円筒端部内に含む、請求項２に記載の散布ノズルアセンブリ。
【請求項４】
前記オリフィス部材の前記円錐通路部は、２０および４０度の円錐角度で形成される、請求項１に記載の散布ノズルアセンブリ。
【請求項５】
前記オリフィス部材は、エチレンポリプロピレンゴム、フルオロカーボンゴム、または、それらの組合せから形成される、請求項１に記載の散布ノズルアセンブリ。
【請求項６】
前記下流ハブは、内側にテーパが付けられた円錐台状の端部を有する、請求項２に記載の散布ノズルアセンブリ。
【請求項７】
前記ハブの前記テーパが付けられた円錐台状の端部は、前記円筒部から前記ハブの軸方向の長さの２分の１未満の軸方向の長さを有する、請求項６に記載の散布ノズルアセンブリ。
【請求項８】
前記オリフィス部材は、前記オリフィス部材に対して前記供給液体の前記圧力の制御された３倍化に応じて、前記オリフィス部材を通る前記液体流および前記オリフィス部材から放出する前記液体流が少なくとも７５％だけ増加されるように変形可能な材料で形成される、請求項１に記載の散布ノズルアセンブリ。
【請求項９】
前記オリフィス部材は、２０から６０ｐｓｉの圧力から、前記液体供給部の圧力を制御して増加する際に、前記オリフィス部材および散布ノズルアセンブリを通る前記液体流が少なくとも７５％だけ増加されるように変形可能な材料で形成される、請求項１に記載の散布ノズルアセンブリ。
【請求項１０】
前記オリフィス部材は、前記オリフィス部材に対して圧縮された液体供給部において２０ｐｓｉから６０ｐｓｉまでの制御された増加の際、前記オリフィス部材を通る液体流が少なくとも１３０％だけ増加されるように弾性材料で形成される、請求項１に記載の散布ノズルアセンブリ。
【請求項１１】
前記オリフィス部材の前記放出オリフィスに下流で対向する関係で離間されて配置された衝突要素を含み、前記オリフィス部材からの圧縮された液体流ストリームが前記衝突要素に誘導され、前記液体の噴霧化が容易にされる、請求項１に記載の散布ノズルアセンブリ。
【請求項１２】
前記衝突要素は、前記オリフィス部材の下流側付近の上流環状装着プレートから延びる脚部によって前記オリフィス部材の前記放出オリフィスに対して反対側に支持された中央装着プレートである、請求項１１に記載の散布ノズルアセンブリ。
【請求項１３】
前記ノズル液体の流路は、前記衝突要素の下流に膨張チャンバを画成し、前記衝突要素は、前記膨張チャンバの直径より大きな軸方向の長さを有する、請求項１１に記載の散布ノズルアセンブリ。
【請求項１４】
前記ノズル本体は、環状装着ステムによって前記液体供給部と連通して支持され、前記装着ステムは、下流環状ビードを有し、前記オリフィス部材の上流円筒端部は、前記ステムおよび前記ノズル本体の間に密封ガスケットを形成する、請求項２に記載の散布ノズルアセンブリ。
【請求項１５】
農業用散布器であって、
選択的に制御可能な圧縮された液体供給部に接続される液体供給導管を有する細長い散布ブームと、
前記液体供給部から圧縮液体を受ける為に前記供給導管に接続される複数の散布ノズルアセンブリであって、前記散布ノズルアセンブリは、各々がノズル本体を有し、前記ノズル本体は、中央液体流路を画成し、前記液体流路は、上流端部を有し、前記上流端部は、前記圧縮液体供給部および下流端部と連通する上流端部を有する、前記散布ノズルアセンブリと、
前記ノズル本体の通路と流体連通して配置されるオリフィス部材であって、前記オリフィス部材は、中央液体流路を有し、前記オリフィス部材は、前記オリフィス部材を通って誘導される液体流を加速させる為に、比較的に小径の放出オリフィスと連通する、下流方向で内側にテーパが付けられた円錐通路セクションを含み、前記オリフィス部材は、柔軟かつ圧力応答性の変形可能な材料で形成され、前記液体供給部の圧力増加の際、前記液体流路および放出オリフィスは、少なくとも７５％だけ前記オリフィス部材およびノズル本体を通る割合を増加させるように変更可能であり、前記オリフィス部材への圧縮液体の供給中断の際に前記オリフィス部材の液体流路および放出オリフィスは、それらの当初の形状に戻る、前記オリフィス部材と、
を備える、農業用散布器。
【請求項１６】
各散布ノズルアセンブリの前記オリフィス部材は、上流円筒端部と、前記円筒端部の下流側から突出する小径ハブを含み、前記円筒通路部は、２０および４０度の円錐角度で形成され、前記オリフィス部材の下流の前記小径ハブおよび前記円筒端部の両方を通り、少なくとも一部で連通する、請求項１５に記載の農業用散布器。
【請求項１７】
各散布ノズルアセンブリの前記オリフィス部材は、２０から６０ｐｓｉの圧力から、前記液体供給部の圧力を制御して増加する際に、前記オリフィス部材および散布ノズルアセンブリを通る前記液体流が少なくとも７５％だけ増加されるように変形可能な材料で形成される、請求項１５に記載の農業用散布器。
【請求項１８】
各ノズルアセンブリは、前記オリフィス部材の前記放出オリフィスに下流で対向する関係で離間されて配置された衝突要素を含み、前記オリフィス部材からの圧縮された液体流ストリームが前記衝突要素に誘導され、前記液体の噴霧化が容易にされる、請求項１５に記載の農業用散布器。
【請求項１９】
放出散布を誘導する為に下流散布先端部および各散布ノズルアセンブリの間を連通する、それぞれの液体導管と、散布先端部およびその放出散布に隣接した関係で農業用種を分布させる為にドロップシュートとを含む、請求項１５に記載の農業用散布器。
【請求項２０】
前記ノズル本体は、カミングおよびロッキング要素を有する急速継手によって前記液体供給部に接続され、前記導管は、協働するカミング及びロッキング要素及び溝を有する急速継手によって前記散布ノズルアセンブリに接続される、請求項１９に記載の農業用散布器。
【発明の詳細な説明】
【関連出願の相互参照】
【０００１】
[0001]この特許出願は、参考のために組み込まれる、２０１５年４月１日に提出された米国仮出願第62/141,472号の利益を請求する。
【０００２】
【発明の分野】
【０００３】
[0002]本発明は、全体的に液体散布ノズルアセンブリに関し、より具体的には、肥料、殺虫剤などのような農薬を散布する際に特に有用な散布ノズルアセンブリに関する。
【０００４】
【発明の背景】
【０００５】
[0003]長さが１００フィートに及ぶ散布ブームを引っ張る比較的大きなトラクタから農薬を散布することが常習になっている。そのような散布ブームは、多数の個別散布ノズルを含み、これらは、ブームの全長に沿って横に間隔をあけて配置され、各々は、ブームが畑を通って運搬されるとき化学物質の個々の散布放出を誘導する。
【０００６】
[0004]そのような農業用散布器は、現在、比較的高度なＧＰＳ制御に基づくシステムをよく使い、各散布ノズルに対する液体流をモニタして制御し、畑を通って散布される化学物質量をマッピングする。そのようなシステムにおいて、畑の異なる場所で異なる量の液体化学物質の（縁列に沿った又は散布領域の再使用のような）散布を、制御してモニタすることが可能である。散布される液体量も同様に、散布ブームの移動速度に従って制御可能である。特別な種蒔き要求と協同して異なる量の液体を誘導させる必要があり、種蒔きの変化に応じて液体を分配する割合を変えることも同様に望まれる。
【０００７】
[0005]散布ノズルを通る流量は、通常、送り液体の圧力を変更することによって増減される。しかしながら、この技術による流量変動の範囲は限られている。それ故に、ノズルの流量を著しく増加させるため、散布ブーム上のノズルの各々の散布先端部に変更が必要であり、これは、時間がかかり、代替サイズの散布先端部の在庫を必要とし、これは、費用がかかる。散布先端部を交換することなく流量および散布放出を変える為に複数の提案がなされてきたが、そのような提案は、比較的に複雑であり、操作に信頼性がなく、比較的に高価である。
【０００８】
【発明の目的及び概要】
【０００９】
[0006]本発明は、散布ノズルアセンブリの散布先端部を変えることなく放出散布の流量を大幅に増減させることを可能にするように適合された散布ノズルアセンブリを提供することを目的とする。
【００１０】
[0007]他の目的は、供給液体の圧力を変更することによって液体流量および散布放出力を単独で著しく変更するように操作可能な上記のように特徴付けられた散布ノズルアセンブリを提供することである。
【００１１】
[0008]更なる目的は、農業種蒔きと協同して使用される液体肥料を含む、農薬の選択された可変量を誘導する際に特に有用な上記種類の散布ノズルアセンブリを提供することである。
【００１２】
[0009]さらに他の目的は、比較的に構成が簡単で、それ自体、経済的な製造に役立つ形式の散布ノズルアセンブリを提供することである。
【００１３】
[0010]本発明の、他の目的及び利点は、以下の詳細な説明を読み、図面を参照する際に、より明確になるであろう。
【図面の簡単な説明】
【００１４】
[0011]
【図１】図１は、電動トラクタによって引っ張られる本発明に従う散布ノズルアセンブリを有する例示的ブームの斜視図である。
【図２】図２は、図１に示された散布ブームの一部の拡大斜視図である。
【図３】図３は、散布ブームの液体供給導管を形成する従属形態において支持される本発明に従う散布ノズルアセンブリの一つの拡大縦断面図である。
【図４】図４は、例示的散布ノズルアセンブリの拡大された斜視図である。
【図５】図５は、例示的散布ノズルアセンブリの正面図である。
【図６】図６は、図５の６−６線の面で切断された例示的散布ノズルアセンブリの縦断面図である。
【図７】図７は、例示的散布ノズルアセンブリの側面図である。
【図８】図８は、図７の８−８線の面で切断された散布ノズルアセンブリの縦断面図である。
【図８Ａ】図８Ａは、本発明に従う散布ノズルアセンブリの代替実施形態の縦断面図である。
【図９】図９は、例示的散布ノズルアセンブリの液体衝突要素の拡大された斜視図である。
【図１０】図１０は、例示的散布ノズルアセンブリのオリフィス部材の拡大された縦断面図である。
【図１１】図１１は、図１０に描かれた円形領域で切断されたオリフィス部材の拡大された断面図である。
【図１２】図１２は、従来技術の散布ノズルアセンブリに関して本発明に従う散布ノズルアセンブリの動作特性を示す描写である。
【図１３】図１３は、本発明の代替実施形態に従う液体誘導型散布ノズルアセンブリを有する種蒔き機の側面図である。
【図１４】図１４は、図１３に示された散布ノズルアセンブリの拡大された部分断面図である。
【図１５】図１５は、下流端部に付けられた流体導管装着ステムを有する本発明に従う散布ノズルアセンブリの他の代替実施形態の側面図である。
【図１６】図１６は、図１５に示された散布ノズルアセンブリの縦断面図である。本発明は、様々な変形および代替構成の余地があるが、その一定の例示的実施形態が図面に示され、以下に詳細に説明される。[0028]  しかしながら、本発明を開示された特定形態に限定する意図はなく、むしろ、本発明は、変形例、代替構成、均等物であって、本発明の精神及び範囲に入る全てをカバーすることを理解されたい。
【好ましい実施形態の説明】
【００１５】
[0029]以下、図１および図２を参照すると、トラクタ１３又は他の類似物によって引っ張られるとき、散布ブーム１０の幅に対応したストリップに沿って畑に化学物質又は他の液体を散布する為に複数の液体散布ノズルアセンブリ１１を有する例示的な散布ブームが示されている。散布ブーム１０は、この場合、横に延びる支持部材１２を含み、支持部材１２は、液体供給導管１４を運び、液体供給導管１４は、トラクタ１３によって運ばれる液体供給タンク１７に結合されている。技術的に知られているように、適したポンプおよび制御装置または制御装置で操作可能なスロットルバルブが、散布ノズルアセンブリ１１に対する液体の圧力制御、ここでは、流量の為に設けられている。
【００１６】
[0030]散布ノズルアセンブリ１１は、各々が、図３に描写されるように、それぞれ装着および液体供給ステム２０によって液体供給導管１４から従属状態で支持されている。各ステム２０は、ニップル２１を有し、ニップル２１は、その下側の孔を通って供給導管１４へと延びている。導管１４内部の圧縮された液体は、ニップル２１に入り、散布ノズルアセンブリ１１と連通したステム２０内の中央通路２２を下方に通過する。導管１４にステム２０を固定するため、ステム２０の最上部は、この場合、第１クランプ要素２４を形成し、第１クランプ要素２４は、導管１４の下半分の周りに位置し、第２クランプ要素（図示せず）と協働し、第２クランプ要素は、本願発明と同一出願人に譲渡され開示内容が本願に参考のために組み込まれる米国特許第４５２７７４５号に示されるように、慣例的に導管の反対側を囲んでクランプしている。
【００１７】
[0031]例示された散布ノズルアセンブリ１１は、最も良く図３−図８に描写されるように、各々が、略円筒体３０を備え、略円筒体３０は、中央通路３１を画成し、上流装着部および液体入口部３０ａおよび下流液体放出部３０ｂを含む。装着および液体入口ステム２０に取り外せるように接続するノズル本体３０にとって、ステム２０は、ノズル本体３０の装着部３０ａ内部で協働するため、径方向に対向するラジアルカミング及びロッキング（camming and locking）用ラグを有し、前に参照された米国特許第4,527,745号に開示されるように、ノズル本体３０の相対的回転に付随するものとして、ステム２０を用いてノズル本体３０の急速結合分離および離脱を可能にする。ノズル本体３０の装着部３０ａは、外側に延びるラジアルウィング３９を用いて形成され、ステム２０からのノズル本体３０の装着および分解中のノズル本体３０の回転を容易にする。
【００１８】
[0032]例示されたノズル本体３０の下流液体放出部３０ｂは、下流円錐台端部３０ｃおよび閉じられた横断底壁３０ｄによって形状が円筒になっている。円錐台端部３０ｃは、中央通路３１の内側にテーパが付けられた円錐台端部３１ａを画成する。円錐台部３１ａは、この例の場合、周囲に間隔をあけて配置された複数の放出オリフィス４０を備えて形成され、外側に広がる円錐パターンで液体散布ストリームを誘導する。放出オリフィス４０は、この場合、数が７つであり、ノズル本体の片側に約１５０度の円弧で配置されている。これに対して、放出オリフィス４０は、ノズル本体３０の全周の周りに形成可能であり、あるいは、その代わりに、液体散布パターンを直接下方パターンで誘導する為に、ノズル本体３０の底壁３０ｄに形成可能である。
【００１９】
[0033]噴霧化およびノズル本体３０を通って誘導される誘導を容易にするため、オリフィス部材または散布先端部５０は、中央ノズル本体通路３１の円筒部の上流端部付近に装着され、中央ノズル本体通路３１は、放出オリフィス４０と連通する下流膨張チャンバ３１ｂを画成する。オリフィス部材５０は、この場合、形状が環状であり、下流放出オリフィス５２を備え、中央に配置された液体通路５１を有し、ノズル本体３０に連通した液体を膨張チャンバ３１ｂに加速し、誘導する。
【００２０】
[0034]オリフィス部材５０から放出する液体流ストリームを偏向させ再分配するために、衝突要素５５が設けられ、衝突要素５５は、衝突プレート５６を有し、衝突プレート５６は、オリフィス部材５０の放出オリフィス５２に下流で対向する関係で離間されて配置される。衝突プレート５６は、この場合、Ｕ状部材の中央プレートによって画成され、Ｕ状部材の中央プレートは、環状装着プレート５９に対して下流に延びる脚部５８を有する。衝突要素５５の環状装着プレート５９は、周縁部分で支持され、周縁部分は、オリフィス部材５０の下流側およびノズル本体３０内部の小径カウンタボアの間で固定される（図３）。
【００２１】
[0035]本願実施形態の重要な特徴によると、オリフィス部材５０は弾性材料で形成され、液体流路５１および放出オリフィス５２は、ノズルアセンブリ１１を通って誘導される液体の圧力変更に応じて改められ、固定径放出オリフィスを備えた散布先端部およびオリフィス部材と比較すると、オリフィス部材５０を通る流量の、相当に大きな圧力応答範囲が可能になる。例示されたオリフィス部材５０は、最も良く図１０および図１１に描写されているが、基本的に、上流円筒部６５および小径ハブ６６を備え、小径刃部６６は、その下流側から突出し、内側にテーパが付けられた円錐台端部６８を有する。ハブ６６は、この場合、上流円筒部６５の直径の約３分の１であり、上流円筒部６５の軸方向の厚さの約４分の３まで軸方向の長さを延ばしている。テーパが付けられた円錐台端部６８は、この場合、ハブの軸方向の長さの２分の１未満、この場合、ハブの軸方向の長さの約５分の２の軸方向の長さを有する。上流円筒部６５は、中央液体通路５１と連通する比較的に大きな径の液体進入路７０を有する。進入路７０は、この場合、オリフィス部材５０の上流側でカウンタボア形式になっており、上流円筒部６５の直径の約２分の１の直径、上流円筒部６５の厚さの約２分の１の軸方向深さを有する。中央路５１は、短い長さの円筒部５１ｂと連通する内側にテーパが付けられた通路部５１ａによって画成され、円筒部５１ｂはオリフィス部材の放出オリフィス５２を画成する。
【００２２】
[0036]この実施形態を踏まえて、オリフィス部材５０は、変形可能な弾性材料で形成され、散布ノズルアセンブリ１１に対する供給液体の圧力変更に応じた、中央通路５１および放出オリフィス５２の制御された改変を可能にする。実施例により、オリフィス部材５０は、エチレンプロピレンゴム（ＥＰＲ）、フルオロカーボンゴム（例えば、Viron（登録商標）フルオロカーボン）、他のゴムや弾性材料、または、それらの組合せのような弾性材料で形成されてもよい。材料は、（１）２０−６０ｐｓｉ範囲の圧力のような通常の農業用散布使用中に受ける圧力の下で予測可能に弾性でなければならず、（２）液体供給が中断され圧力負荷が除去されたとき、オリフィス部材５０が当初の形状に戻ることを可能にしなければならない。材料は、２０−６０ｐｓｉから液体送り圧力を高めることに付随して、オリフィス部材および散布ノズルアセンブリを通る流量が少なくとも７５％だけ予測通りに増加できるように、オリフィス部材およびその放出オリフィスの変形を可能にしなければならない。例示された実施形態において、散布ノズルは、５０ショアＡ硬度を有するＥＰＤＭ熱硬化性弾性材料で形成され、より明確になるように、２０−６０ｐｓｉから液体送り圧力の増加に付随して、ノズルアセンブリを通る流量が少なくとも１３０％だけ増加される。本願の目的にとって、固定径放出オリフィスを備えた散布先端部およびオリフィス部材は、オリフィス部材であり、あるいは、散布先端部は、農業散布で一般的に被る２０−６０ｐｓｉのような液体圧力を受けるとき、認められるほどの変形を受けない。
【００２３】
[0037]オリフィス部材材料の弾力性は、オリフィス部材５０がシーリングガスケットの二重の目的に役立つことを可能にすることは理解されよう。そのために、装着ステム２０の下流終端部は、ステム２０上の装着関係へとノズル本体３０を回転させることに付随して、しっかりとオリフィス部材５０を、ノズル本体３０および衝突要素５５の両方との密封関係へとクランプする為に、オリフィス部材５０の外周部分と係合する形態または環状ビード２０ａ（図３）になっている。
【００２４】
[0038]この実施形態を更に実施する際、オリフィス部材５０の突出ハブ６６および中央通路５１は、制御された圧力応答性変更の一助になり、液体送り圧力に比例した流量において、比較的に高精度に制御された広範囲の変化を可能にする。オリフィス部材５０の中央通路５１の内側にテーパが付けられた部分５１ａは、この場合、２０および４０度の間、好ましくは約３０度の角度αで形成された円錐台構成を有する。３０度の円錐テーパを用いて、円錐部の両側は、下流方向に内側に、オリフィス部材の中心軸に対して約１５度の角度でテーパになっている。中央通路５１の円錐台部５１ａは、さらに、一部がオリフィス部材５０の上流円筒部６５を通り、下流突出ハブ６６を部分的に通って延びている。例示された実施形態において、円錐台通路部５１ａの約２分の１、すなわち、上流半分は、オリフィス部材の上流円筒部６５内部に配置され、円錐台通路部５１ａの約２分の１は、小径ハブ６６を通って延びている。操作原理は全体的に理解されないが、オリフィス部材５０が形成される材料の弾力性、オリフィス部材５０およびその中央流路５１の構成の観点から、内側にテーパが付けられた円錐通路部５１ａに作用する液体圧力は、オリフィス部材５０を通る液体流量の大きな変動が液体圧力の小さな変更に影響されるように放出オリフィス５２の変形に応じた制御圧力を強調する為に円錐通路部５１ａに流路の中心軸に対して横向きの動的および静的力を生み出すことが考えられる。
【００２５】
[0039]固定径オリフィス部材または散布先端部を備えた散布ノズルに関する本発明の散布ノズルアセンブリの驚くべき性能は、図１２に描写されている。ライン７１−７４は、農業散布で一般的に使用される２０および６０ＰＳＩの液体供給圧力の変更に対して、本発明の譲受人によって、それぞれの素材番号ＳＪ７−０３，ＳＪ７−０４，ＳＪ７−０５，ＳＪ７−０６の下に販売された、０．０４０インチ径、０．０４８インチ径、０．０５５インチ径、０．０６０インチ径の慣例プラスチック射出成形固定放射オリフィススプレー先端部を通る液体流量の変更を表す。一方、ライン７５は、本発明に従う０．０３５インチの放出オリフィス５２を備えた弾性オリフィス部材５０を用いた散布ノズルアセンブリの同一圧力範囲にわたる流量の変更を表す。たとえ小さな放出オリフィスを備えても、本発明のノズルアセンブリ１１を通る流量は、液体供給圧力の同一の変更にわたって、０．３ガロン未満／分から０．７ガロン／分まで変化する。換言すると、対象の散布ノズルアセンブリ１１は、ライン７２−７４によって表されるように、少なくとも３つの慣例の散布先端部またはオリフィス部材に匹敵する圧力応答性液体流量の変更を可能にする。そのような性能の観点から対象の散布ノズルアセンブリ１１は、同一オリフィス部材５０が相当に大きな流量変更を達する為に使用可能であることから、農業散布において著しい商業的分岐を有することが当業者に理解されよう。これまでは、３つの異なる散布先端部またはオリフィス部材が利用されなければならず、液体散布ブームで多数の散布ノズルを変更するのに時間を費やし、同時に、散布ノズル先端部の在庫増加、その結果、在庫維持費が必要である。
【００２６】
[0040]更なる代替実施形態において、図８Ａに描写されるように、前述された部品と類似した部品には、同一参照符合が与えられる場合、放出オリフィス１１は、ノズル本体３０の円錐台端部３０ｃに形成され、中心軸に対して平行なノズル本体３０の下流端部を通り下方に延びる１つ又は複数の放出オリフィス１１ａと共に、円錐形散布パターンを生成する。ノズルアセンブリ１１は、この場合、カミングおよびロッキング用溝３６を有するノズル本体３０から分離した急速分離装着キャップ３７を有し、ノズル本体３０を、参照された米国特許第４，５２７，７４５号に開示されたものに類似したカミング及びロッキング用ラグを有する液体供給装着ステムに固定する。ノズル本体３０の上流端部は、この場合、衝突要素５５の環状装着プレート５９と共に装着キャップ３７によって固定係合する為に、外側に延びた環状フランジ３８を有し、環状装着プレート５９は、環状フランジ３８と装着キャップ３７の間に挿入される。オリフィス部材５０は、再び、密封要素として更なる目的に役立つ。
【００２７】
[0041]図１３および図１４の図面を参照すると、農業用種蒔き機と同時に液体肥料を供給する際に特に利用可能性を有する本発明に従う散布ノズルアセンブリ８０の代替実施形態が示されているが、前述された部材に類似する部材には同様の参照符合が与えられている。慣例の種まき機８１は、図１３に示され、当業者によって理解されるように、横に間隔をあけて配置された列で同時に種を蒔く為に畑の中をトラクタによって引かれる。単一の散布ノズルアセンブリが示されているが、種蒔き機は、その種まき機の横断長さに沿って複数の液体肥料用散布ノズルを含むことが理解されよう。技術的に知られるように、種蒔き機は、ドロップシュート８２を有し、ドロップシュート８２は、列に沿って間隔があけられた場所に種を分布させる。同時に、肥料は、種が蒔かれた列に加える為、散布ノズルアセンブリ８０から誘導される。以前に示されたように、特定の種蒔き用途の為には所定量の特定液体肥料を誘導することが必要であり、また、種蒔き機の移動速度に基づいて液体を分配する割合を制御する必要がある。これまで、これは、しばしば、時間がかかり、複数の散布ノズルや散布の為の散布器用散布先端部の面倒な変更が必要であるという問題を生み出していた。
【００２８】
[0042]散布ノズルアセンブリ８０は、この場合、ノズル本体３０を有し、ノズル本体３０は、上流液体入口および装着部３０ａおよび下流液体分配部３０ｂを有する。ノズル本体３０は、装着及び液体供給ステム２０上で支持され、装着及び液体供給ステム２０は、この場合、米国特許第6,749,134号に開示されたような慣例的な方法で防滴チェックバルブ８２によって供給導管から液体を受けるが、米国特許第6,749,134号は、本願の同一譲渡人に譲渡され、その開示内容は参考のため本書に組み込まれる。ノズル本体３０のステム２０への急速結合分離のため、ノズル本体の装着部３０ａ及びステム２０は、それぞれ、前述したように急速結合分離ラグ及び溝を有する。
【００２９】
[0043]ノズル本体３０は、この場合、開放下流液体誘導部３０ｂを有し、開放下流液体誘導部３０ｂは、本願と同一譲受人に譲渡された出願番号第13/357,881に描写されたように慣例的方法で密封され保持された状態で液体導管８４の上流端部を受ける。液体導管８４は、開放端部であり、慣例的方法で導管８４の下流端部８５で支持され、下流散布先端部８６を介して、蒔かれた直後の種に肥料を誘導する。
【００３０】
[0044]本発明の、この実施形態によると、散布ノズルアセンブリ８０は、弾性オリフィス部材５０および衝突要素５５を有し、衝突要素５５は、前述されたものに類似する上流入口及び装着部３０ａ内に支持され、固定放出オリフィスを備えたオリフィス部材及び散布先端部と比べると、オリフィス部材５０を通る流量の圧力応答範囲を大きくすることができるように液体を散布する。先に説明された実施形態のように、散布ノズルアセンブリ８０は、固定径散布先端部を用いてこれまで可能だったものより広範囲の送り速度にわたって使用可能である。
【００３１】
[0045]以下、図１５及び図１６を参照すると、前述された液体導管８４のように液体誘導導管に散布液体を誘導する為に有効な本発明に従う他の代替実施形態に係る散布ノズルアセンブリが示されている。再び、説明された部材に類似した部材には、同様の参照符合が与えられている。散布ノズルアセンブリは、この場合、ノズル本体３０を含み、ノズル本体３０は、オリフィス部材５０および衝突要素５５を有し、衝突要素５５は、前述されたものと同様に上流で支持されている。図３の実施形態のように、ノズル本体３０は、前述されたように液体供給装着ステムとの係合の為にカミング及びロッキング用溝３６で形成された上流端部で一体的に形成された装着部３０ａを有する。
【００３２】
[0046]この実施形態に準じて、ノズル本体３０の下流端部は、急速分離キャップ３７によって液体導管またはホース装着ステム８８に結合され、再び、ノズル本体３０の下流端部に対して外側にラジアル関係で（in outward radial relation）形成されたカミング及びロッキング用ラグ３６ａと協働する為にカミング及びロッキング用溝３６を有する。急速分離キャップ３６は、ステム８８の外部フランジ８９および環状密封部材９０を備えたノズル本体３０の下流端部に固定され、環状密封部材９０は、外部フランジ８９とノズル本体３０の間に挿入される。ノズル本体３０の下流端部は、この場合、小径環状ビード９１を用いて形成され、密封部材９０との密封係合を強化する。ステム８８は、従来技術の典型であるが、流体導管を上部に位置し保持可能な有刺下流端部９２を有する。
【００３３】
[0047]前述から、散布先端部を変えることなくノズルを通る相当に大きな範囲の液体流量を可能にする為に適合される散布ノズルアセンブリが設けられることが分かる。散布ノズルアセンブリは、そのような液体流量の変更、供給液体の圧力変化だけによる散布放出力を成し遂げる為に動作可能である。散布ノズルアセンブリは、農業種蒔きと協同して、選択された可変量の液体肥料を含む農薬を誘導するのに特に有用である。散布ノズルアセンブリは、構造が比較的簡単であり、それ自体、経済的な製造に役立つ。
【図１】
2018511470.tif 000003
【図２】
2018511470.tif 000004
【図３】
2018511470.tif 000005
【図４】
2018511470.tif 000006
【図５】
2018511470.tif 000007
【図６】
2018511470.tif 000008
【図７】
2018511470.tif 000009
【図８】
2018511470.tif 000010
【図８Ａ】
2018511470.tif 000011
【図９】
2018511470.tif 000012
【図１０】
2018511470.tif 000013
【図１１】
2018511470.tif 000014
【図１２】
2018511470.tif 000015
【図１３】
2018511470.tif 000016
【図１４】
2018511470.tif 000017
【図１５】
2018511470.tif 000018
【図１６】
2018511470.tif 000019
【国際調査報告】
2018511470.tif 000020